(57)【要約】【課題】キャップのネジ成形荷重を与える捩りスプリングが破損した異常時であっても、成形ローラが成形ヘッドの外側に振り出してキャッピング装置の故障の原因につながるようなローラレバー等の破損を簡単な構成で防止したキャッピング装置を提供することにある。【解決手段】前記ロールオンキャッパーヘッド１のスピンボディ２７とそのスピンボディ２７にカムシャフト２１を介して揺動可能に取りつけられているカムアーム２３との間もしくはスピンボディ２７とローラレバー２２との間にカムシャフト２１の回転範囲を規制する規制部材４１が形成されているようになっている。【選択図】　図１
2004123147.tif 000002
【特許請求の範囲】
【請求項１】
キャップの周面部に押圧して所定の加工を施す成形ローラが、回転本体部を貫通して設けられた支軸の先端部に取りつけられたローラレバーに回転自在に設けられるとともに、前記支軸の他端部にカムアームが設けられ、そのカムアームの端部に立設したピン軸を介してカムフォロアーが取り付けられ、前記カムフォロアーが、コーンカムのカム面に押し付けられるように弾性部材が設けられた、前記成形ローラを前記キャップの周面部に向けて押圧させるキャッパーヘッドがスピンドルの端部に取りつけられたキャッピング装置において、
前記キャッパーヘッドの回転本体部とその回転本体部に支軸を介して揺動可能に取りつけられているカムアームとの間もしくは前記回転本体部と前記ローラレバーとの間に前記支軸の回動範囲を規制する規制手段が形成されていることを特徴とするキャッピング装置。
【請求項２】
前記規制手段が、前記カムアームを貫通させた前記ピン軸の先端部を突出させ、前記回転本体部側に設けられた係合部を干渉させて、前記カムアームの揺動範囲を規制するように構成された請求項１に記載のキャッピング装置。
【請求項３】
前記規制手段に、前記回転本体部の中心軸に対して回動可能な状態に設けられ、前記カムフォロアーを弾性部材の弾性力に抗して外方へ移動させコーンカム面から離す拡径手段が設けられている請求項１に記載のキャッピング装置。
【請求項４】
前記拡径手段が、回動により各ピン軸と係合又は離間する複数のカム突出部とを周辺部に有する円板状のカムからなるようにした請求項３に記載のキャッピング装置。
【発明の詳細な説明】
【０００１】
【発明の属する技術分野】
この発明は、瓶の口頸部やボトル型缶の口頸部などの予めネジ山が形成されている容器の口頸部にキャップとして成形される有底円筒状のネジなしキャップを被せ、その周面にネジ溝を成形するキャッピング装置に関するものである。
【０００２】
【従来の技術】
従来、容器の口頸部に被せられたキャップの外周に成形ロールを押し当ててキャップにネジを形成するロールオン式のキャッピング装置がある（例えば、特許文献１参照。）。この装置は、容器の口頸部に嵌合させたキャップにネジを成形しつつキャッピングを行うように構成されている。すなわち、この公報に記載された装置は、容器の口頸部に被せられたキャップに、その外周側から成形ロールを押し付けて、雌ネジ成形を行うように構成されている。この成形ロールは、キャップの外周側への移動、ネジ成形後に初期位置に後退移動などの工程を経る必要がある。そのために、上記の公報に記載された装置では、円錐状カム（コーンカム）の軸方向の変移によって、キャップを容器の口部のまわりに変形させて取り付けるために、制御された半径方向の力を作用させるカム機構を使用して成形ローラが所定の軌跡を辿って移動し、所定のネジ加工を行うようになっている。
【０００３】
この種の装置で対象とするキャップは、アルミ合金やスチール製薄板を素材とする加工性の良好なものが一般的であり、そのために、前記成形ローラをキャップに押し付ける荷重は、捩りコイルバネなどの弾性部材によって発生させている。それに伴って前記カム機構は、成形ローラをキャップの外周面にまで案内し、また後退させる機能を奏するように構成されている。言い換えれば、カム機構はコーンカムの軸方向の変移によって、成形ローラをキャップに向けたいわゆる中心側へ移動させる機能を奏するように構成され、キャップに対する成形荷重は、専ら、弾性部材で生じさせるようになっている。
【０００４】
【特許文献１】
特公昭５７−３７５１８号公報　（第３頁から５頁、図１から図２）
【０００５】
【発明が解決しようとする課題】
一般に、成形ローラは、連続加工のためにターレットなどの回転体と同期して回転する部材（キャッパーヘッド）の外周側に多数設けられている。さらに、弾性部材の弾性力は、成形荷重を中心側に向け発生させるようになっている。したがって、例えば弾性部材の疲労による破損や劣化等の際に、弾性部材の中心側への弾性力が作用しなくなると、キャッパーヘッドの回転に伴う遠心力によって成形ローラが半径方向外側に振り出される。即ち、前記カム機構は上記のように成形ローラの中心側への移動を制御する機能あるいは外側への移動に対する制御は弾性力が作用していることで機能することから、弾性力が作用しない状態では、遠心力により成形ローラレバーが回転軸を中心に外周側へ振り出されることになる。
【０００６】
そうすると、成形ロールは、設備の小型化、効率化のために、限られたスペースに可及的に多数設けられているので、遠心力で高速で外側に振り出されると、隣接するキャッパーヘッドにぶつかり、成形ローラレバー等の部品の破損やキャッピング装置自体の故障の原因になる。
【０００７】
したがって、本発明の目的は、捩りコイルバネ等に何らかの異常があり成形荷重が作用しなくなった場合でも、成形ローラが成形ヘッドの外側に振り出されてキャッピング装置の故障の原因につながるような成形ローラレバー等の破損を簡単な構成で防止できるようにして安全性を確保すると共に、装置の停止を防ぎ安定した稼動が得られるようにしたキャッピング装置を提供することにある。
【０００８】
【課題を解決するための手段およびその作用】
上記の目的を達成するために、請求項１に記載した発明は、キャップの周面部に押圧して所定の加工を施す成形ローラが、回転本体部を貫通して設けられた支軸の先端部に取りつけられたローラレバーに回転自在に設けられるとともに、前記支軸の他端部にカムアームが設けられ、そのカムアームの端部に立設したピン軸を介してカムフォロアーが取り付けられ、前記カムフォロアーが、コーンカムのカム面に押し付けられるように弾性部材が設けられた、前記成形ローラを前記キャップの周面部に向けて押圧させるキャッパーヘッドがスピンドルの端部に取りつけられたキャッピング装置において、前記キャッパーヘッドの回転本体部とその回転本体部に支軸を介して揺動可能に取りつけられているカムアームとの間もしくは前記回転本体部と前記ローラレバーとの間に前記支軸の回動範囲を規制する規制手段が形成されていることを特徴とする。
【０００９】
したがって、この請求項１に記載した発明では、前記カムアームは、コーンカムに従って水平方向へ移動して、それに伴ってローラレバーに取りつけられた成形ローラをキャップの外周面まで案内し、また後退させるキャッピング装置において、前記弾性部材の劣化等の原因で破損して弾性部材の弾性力が作用しなくなるという異常時の場合、キャップ周面側へ付勢させる押圧力が消失し、成形ヘッドの遠心力によって、前記カムアームが支軸を中心に振り出され回転本体部の外側に移動する。その際、カムアームを取り付けている支軸が回動させられ、その支軸の反対端に取り付けられているローラレバーも回転本体部の外側に移動しようとする。しかしながら、カムアームあるいはローラレバーと回転本体部との間に設けられた係合部が、カムフォロアー及びカムアームの外方へ過剰な移動を阻止するため、前記カムアームが回転本体部から過剰に外側へ振り出されて移動するのを規制する。その結果、支軸の反対端に取り付けられているローラレバーも過剰に外側へ振り出されるのが防止されるので、成形ローラが隣接するキャッパーヘッドにぶつかりローラレバー等の部品を破損させたりすることが防げる。また、過剰に外側へ振り出されることがないので、成形ローラを組み込んだキャッパーヘッドの間隔を狭く配置することができキャッピング装置のコンパクト化が図れる。
【００１０】
なお、請求項２に記載した発明では、前記規制手段が、前記カムアームを貫通させた前記ピン軸の先端部を突出させ、前記回転本体部側に設けられた係合部を干渉させて、前記カムアームの移動範囲を規制するように構成されたことを特徴する。
【００１１】
したがって、この請求項２に記載した発明では、前記係合部が、前記カムアームを貫通させたピン軸の突出部を前記回転本体部のカムアームに対向する面に設けられた凹部内へ挿入させることにより、ピン軸を係合部のストッパー部材として兼用させて構成部品を少なくするとともに、装置の簡素化が図れる。
【００１２】
また、請求項３に記載した発明は、前記規制手段に、前記回転本体部の中心軸に対して回動可能な状態に設けられ、前記カムフォロアーを弾性部材の弾性力に抗して外方へ移動させ、コーンカム面から離す拡径手段を備えていることを特徴とする。
【００１３】
したがって、この請求項３に記載した発明では、前記規制手段に、前記回転本体部の中心軸に対して回動可能な状態に設けられ、前記カムフォロアーを弾性部材の弾性力に抗して外方へ移動させコーンカム面から離す拡径手段を備えているため、キャッパーヘッドをスピンドル下端部に取り付けたり取り外す等の交換作業の際に、拡径手段を作動させてカムフォロアーとコーンカム面とが接触しない状態にさせることができ、カムフォロアーに邪魔されることなく容易に交換作業が行える。
【００１４】
また、請求項４に記載した発明では、前記拡径手段が、回動により各ピン軸と係合又は離間する複数のカム突出部とを周辺部に有する円板状のカムからなるようにしたことを特徴とする。
【００１５】
したがって、この請求項４に記載した発明では、前記拡径手段は、複数のカム突出部を周辺部に有する円板状のカムから構成され、そのカムを回動させ各ピン軸と突出部を係合又は離間させることによりコーンカムとカムフォロアーとを、接触状態としたり非接触状態とする切り替え操作を容易に行うことができる。
【００１６】
【発明の実施の形態】
つぎに本発明を具体例を参照して説明する。図１は、本発明に係るキャッピング装置を示す部分縦断面図であり、ボトル型容器２の口部に被せた金属製のピルファープルーフキャップ３にネジ切り加工するように構成されている。なお、ネジ切り加工とは、容器の口部に形成された雄ネジに合わせてピルファープルーフキャップ３の周面に雌ネジを成形させる加工である。
【００１７】
ここで図１で示される上記のスピンドルユニット４を上下動させスピンドルユニット４の下端部に取り付けられたコーンカム５を上下に変移させるカム機構について説明すると、固定軸７を中心にして回転するフレームターレット６における上側の円板部６Ａと中間の円板部６Ｂとの間には、固定軸７から半径方向で外側に伸びた枠体８が設けられている。その枠体８の外周面の上下二箇所に、円周方向に沿って二条のカム溝９Ａ，９Ｂが形成されている。
【００１８】
図１での上側のカム溝９Ａに係合させられているカムフォロアー１０Ａが、ロールオンキャッパーヘッド１を取り付けたスピンドルユニット４の中空軸１１を回転可能に保持している筒状部材１１Ａに連結されている。また図１での下側のカム溝９Ｂに係合させられているカムフォロアー１０Ｂが前記コーンカム５と一体のスリーブ１２に連結されている。したがってスピンドルユニット４が固定軸７を中心にして旋回することにより、各カムフォロアー１０Ａ，１０Ｂがカム溝９Ａ，９Ｂに沿って走行する。その結果、カムフォロアー１０Ａがカム溝９Ａの形状に従ってスピンドルユニット４およびロールオンキャッパーヘッド１が上下動し、またカムフォロアー１０Ｂがカム溝９Ｂの形状に従ってコーンカム５が上下動するようになっている。なお、これらのカム機構による動作は後述する。
【００１９】
つぎに図１に示されるように、ボトル型容器２の口部に被せた金属製のピルファープルーフキャップ３にネジ切り加工するように構成されている。
【００２０】
この容器２を一定間隔で載せる成形テーブル１３および成形テーブル１３を支持する円筒軸１３ａが、垂直に立設された固定軸７に回転可能に保持され、この固定軸７は、内側固定軸７ａと上下動可能な外側固定軸７ｂとから構成されている。その成形テーブル１３の上面には、容器２の胴部を保持するためのボディーガイド１４と口部を保持するネックガイド１５とが、容器２の載置部のピッチに合わせて複数組設けられている。
【００２１】
また成形テーブル１３の上方には、成形テーブル１３と一体となって固定軸７を中心にして回転するフレームターレット６が設けられている。図１に示す例では、このフレームターレット６は、上中下の３枚の円板部６Ａ，６Ｂ，６Ｃによって構成されており、このフレームターレット６の外周部で前記成形テーブル１３に保持されている容器２の鉛直上方に相当する位置に、スピンドルユニット４が保持されている。
【００２２】
このスピンドルユニット４は、容器２に対して上下動させられ、かつ回転駆動される中空軸１１と、その中空軸１１の外周側に配置されていて下端部にコーンカム５を有するスリーブ１２とを備えている。さらに、スピンドルユニット４の下端部には、前記中空軸１１と共に回転し、かつ上下動するロールオンキャッパーヘッド１が取り付けられている。
【００２３】
この図１ないし２に示すロールオンキャッパーヘッド１は、ボトル缶用で金属製のピルファープルーフキャップ３を成形する構造であって、ピルファープルーフキャップ３のネジ切り加工を行う複数（本例では３個）のネジ切りロール１６と、ピルファープルーフキャップ３の下端部に設けられているピルファープルーフバンドスカート１７の成形加工（裾締め加工）を行う複数（本例では３個）のロックロール１８と、そのロールオンキャッパーヘッド１にその中心軸線の底部に沿って設けられているプッシュピン１９と、ピルファープルーフキャップ３の上部コーナー部を押圧し、所定の形状に成形するプレッシャーブロック２０とを備えている。このピルファープルーフキャップ３の周面部を押圧して所定の加工を施すネジ切りロール１６が、前記コーンカム５からの駆動を伝達するカムシャフト（支軸）２１から延出したローラレバー２２の先端部に取り付けられるとともに、前記カムシャフト２１のローラレバー２２の取り付いていない反対側の先端部にカムアーム２３が突出して設けられ、そのカムアーム２３の端部に立設したピン軸２４を介してカムフォロアー２５が取り付けられ、前記ネジ切りローラ４を前記ピルファープルーフキャップ３の周面部に向けて押圧する捩りスプリング２６の弾性力で前記カムフォロアー２５の外周面２５Ａが、前記ネジ切りロール１６の半径方向の移動軌跡を制御するコーンカム５のカム面５Ａに押し付けられるように構成されている。
【００２４】
図２ないし３で示される各ロール１６，１８はロールオンキャッパーヘッド１の半径方向に前後動するように保持されており、その前後動作を上記のコーンカム５およびこれに接触しているカムフォロアー２５ならびに捩りスプリング２６と、カムフォロアー２５を保持しているピン軸２４の突出端２８と、各ロール１６，１８をロールオンキャッパーヘッド１の中心側に移動させるローラレバー２２と、ロールオンキャッパーヘッド１の本体であるスピンボディ（回転本体部）２７によって行うようになっている。
【００２５】
また前記ピン軸２４が前記カムアーム２３を貫通して前記カムアーム２３の他方の面側に突出し、かつ前記カムアーム２３の他方の面に対向して配置されたスピンボディ２７の上端部材２７Ａに、前記ピン軸２４の突出端２８を入り込ませて前記ピン軸２４の移動範囲を規制して前記カムフォロアー２５およびロールオンキャッパーヘッド１の外周方向への移動に対するストッパーとなる凹部２９（係合部）が形成されているようになっている。
【００２６】
つぎにスピンドルユニット４を介してロールオンキャッパーヘッド１を回転させるための機構について説明する。図１に示す例は、装置全体の構成を簡素化するために、単一の動力源が全ての動作を行うように構成されており、フレームターレット６を成形テーブル１３と共に回転させることに伴って前記中空軸１１およびこれに取り付けたロールオンキャッパーヘッド１を回転させるようになっている。具体的には、前記固定軸７の上部で上側の円板部６Ａより僅か下側の部分に太陽歯車３０が固定されている。その太陽歯車３０に噛み合っている遊星歯車３１が、フレームターレット６における上側の円板部６Ａによって回転自在に保持されている。
【００２７】
この遊星歯車３１に隣接する位置には、上側の円板部６Ａを貫通した第１の回転軸３２が設けられており、その回転軸３２の下端部には、遊星歯車３１に噛み合っている中間歯車３３が取り付けられ、かつ円板部６Ａの上側に突出している端部には、駆動タイミングプーリ３４が取り付けられている。さらに上側の円板部６Ａの外周部分で各スピンドルユニット４に接近した位置には、上側の円板部６Ａを貫通して中間の円板部６Ｂに端部を回転自在に保持された第２の回転軸３５が設けられている。上側の円板部６Ａの上方に突出している第２の回転軸３５の端部には、前記駆動タイミングプーリ３４と対をなす従動タイミングプーリ３６が取り付けられている。また、第２の回転軸３５の中間部すなわち上側の円板部６Ａと中間の円板部６Ｂとの間に位置する部分には、従動歯車３７が取り付けられている。そして、前記中空軸１１の外周部に設けられた細長歯車３８にその従動歯車３７が噛み合っている。
【００２８】
そして図４に示すように、所定の一つの駆動タイミングプーリ３４と、互いに隣接する二つの従動タイミングプーリ３６とにタイミングベルト３９が巻き掛けられている。さらに、そのタイミングベルト３９の弛み側の部分を、タイミングベルト３９の走行経路の中心側に押圧するベルトテンショナー４０が設けられ、タイミングベルト３９の余長を取るようになっている。
【００２９】
したがって上記の構成によれば、タイミングベルト３９および各タイミングプーリ３４，３６が上側の円板部６Ａの上部に配置されているので、これらを容易に交換することができ、またその場合のプーリ径の歯数の変更に伴うベルト長さをベルトテンショナー４０で調整できるようになっている。すなわちこれらの機構は、駆動タイミングプーリ３４を交換して歯数を変更することにより駆動タイミングプーリ３４と従動タイミングプーリ３６との回転比、即ち遊星歯車３１とスピンドルユニット４との回転比を変更してロールオンキャッパーヘッド１のスピン数（ネジ切りされる有効回転数）を調整できるようになっている。
【００３０】
また上記の構成では、一つの遊星歯車３１およびその遊星歯車３１からトルクが伝達される駆動タイミングプーリ３４に対して二つの従動タイミングプーリ３６およびスピンドルユニット４を対応させているので、遊星歯車３１およびその遊星歯車３１からトルクが伝達される駆動タイミングプーリ３４の数はスピンドルユニット４やロールオンキャッパーヘッド１の数の半分でよく、そのため、装置の全体としての構成を簡素化することができる。
【００３１】
つぎに上述したロールオンキャッパーヘッド１を用いた装置の作用について説明する。ピルファープルーフキャップ３を口部に被せられた容器２が成形テーブル１３の所定位置に供給されると、前述したボディーガイド１４とネックガイド１５とによって容器２が起立状態に保持される。その時点ではロールオンキャッパーヘッド１は上限位置に引き上げられている。
【００３２】
成形テーブル１３およびフレームターレット６が一体となって固定軸７の周囲を回転すると、前述したカムフォロアー１０Ａ，１０Ｂがカム溝９Ａ，９Ｂの形状に従って次第に下降させられ、ロールオンキャッパーヘッド１の中心部分に設けられているプッシュピン１９がピルファープルーフキャップ３の上面に当接させられる。続いて、ロールオンキャッパーヘッド１のプレッシャーブロック２０が、ピルファープルーフキャップ３の上部コーナー部を押圧し、所定の形状に形成する。これは、ピルファープルーフキャップ３の内面に形成してあるシール材を容器２の口部に密着させて密封性を高めるための加工である。
【００３３】
フレームターレット６が固定軸７を中心にして回転すると、前記遊星歯車３１が太陽歯車３０に噛み合った状態で転動するので、遊星歯車３１にトルクが伝達されて自転する。そのため、この遊星歯車３１および中間歯車３３ならびに各タイミングプーリ３４，３６およびタイミングベルト３９、従動歯車３７、細長歯車３８を介して中空軸１１にトルクが伝達される。その結果、ロールオンキャッパーヘッド１が中空軸１１と共に回転する。一方、プレッシャーブロック２０は回転しない内側中空軸１００の下端に取付けられており、ピルファープルーフキャップ３のコーナー部の形成が全周に亘って行われる。さらにこれらの機構は、プーリ３４を交換することにより駆動タイミングプーリ３４と従動タイミングプーリ３６との回転数比、さらにはロールオンキャッパーヘッド１の公転回転数に対する自転回転数の比率を変更できるようになっている。その結果、容器とキャップとの密封性を確実に確保するための雌ネジ長さの調整作業を容易にすることができる。
【００３４】
フレームターレット６が更に回転すると、下側のカムフォロアー１０Ｂがカム溝９Ｂの形状に従って更に下降させられる。このカムフォロアー１０Ｂにはスリーブ１２を介してコーンカム５が連結されているので、フレームターレット６が更に回転することによりコーンカム５が下降する。そのコーンカム５のカム面５Ａが、そのコーンカム５が下降することによって、カムフォロアー２５のカム面２５Ａに接触している。カムフォロアー２５が半径方向内側に移動し、それに伴い、カムアーム２３がカムシャフト２１を中心軸として揺動する。その結果、カムシャフト２１が回動されてネジ切りロール１６を保持しているローラーレバー２２がカムシャフト２１を中心軸としてピルファープルーフキャップ３の周面側に移動する。そこでピルファープルーフキャップ３の周面側に接触させられたネジ切りロール１６がピルファープルーフキャップ３の周面に成形荷重をかけてネジ成形を開始する。
【００３５】
この状態でフレームターレット６が固定軸７を中心にして回転するので、ピルファープルーフキャップ３の周面にネジ切り加工およびキャップ３の全周にピルファープルーフバンドスカート１７の下端部のスカート裾締め成形加工が行われる。
【００３６】
即ち、ネジ切りロール１６は、ピルファープルーフキャップ３の周面に押し付けられた状態でその外周を旋回する。そのため、容器２の口部に雄ネジが形成されている部分では、その雄ネジに沿うようにピルファープルーフキャップ３の周面に雌ネジを成形させ、いわゆるネジ切りが行われる。またロックロール１８はピルファープルーフキャップ３の下端部すなわちピルファープルーフバンドスカート１７の下端部をピルファープルーフキャップ３の中心側に押圧して変形させるスカート裾締め成形加工が行われる。
【００３７】
こうして各ローラ１６，１８がキャップ回りを所定回数旋回されると、ネジ切り加工およびスカート裾締め成形が終了する。
【００３８】
この状態からフレームターレット６が更に回転することによって、図１での下側のカムフォロアー１０Ｂがカム溝９Ｂの形状に従って上方向に移動する。その結果、コーンカム５が引き上げられることによって、各ロール１６，１８がピルファープルーフキャップ３から半径方向外側で強制的に離隔する方向に移動させられる。ついで、カムフォロアー１０Ａ，１０Ｂがカム溝９Ａ，９Ｂの形状に従って上方向に移動する。その結果、ロールオンキャッパーヘッド１の全体が容器２の上方に引き上げられた時点で一連の工程が終了する。そして、キャッピングの終了した容器２は、成形テーブル１３から所定箇所に排出されることによって、検査・梱包などの次の工程に送られる。
【００３９】
さらに上述のネジ成形時で、例えば捩りスプリング２６が疲労破壊及び劣化され、捩りスプリング２６の弾性力が作用しなくなった場合に、カムフォロアー２５の下端に取付けられたピン軸２４の突出端２８を、スピンボディ２７（回転本体）の（上端部材２７Ａ）の凹部２９内に入り込ませてあるため、カムアーム２３およびローラアーム２２が制御不能となり、半径方向外側へ振り出されるのを規制することが可能となる。
【００４０】
なお上述した具体例では、ピルファープルーフキャップ３の上部コーナー部を押圧し、ピルファープルーフキャップ３の内面に形成しているシール材を容器２の口部に密着させて密封性を高めるための加工を施すプレッシャーブロック２０が用いられたキャッピング装置に本発明を適用した例を示したが、本発明は上記具体例に限定されないのであって、上部コーナー部を押圧することなくキャッピングする場合にも勿論適用可能である。
【００４１】
つぎに、第２実施形態について説明する。この第２実施形態は、請求項３に対応したものである。規制手段に拡径手段（平板カム）を設けた実施例である。図５に示されるように、スピンボディ２７（回転本体部）の上方には、環状の規制部材４１が設けられ図示しない取付ボルトでスピンボディ２７に固定されている。環状の規制部材４１には、運転正常時には当接しないが、捩りスプリング２６（捩りスプリング２６の上端はスピンボディー２７に固定され、下端はカムシャフト２１のスリーブ４２に固定され、カムフォロアー２５をコーンカム５の面に押し付けるようにねじりカを発生させるようにスピンボディー２７の上方フランジと下方フランジの間に配置されている）が破損したときに、ピン軸２４が外方へ過剰に移動しないように突出端２８の水平方向の移動を規制する係合部４３（外側の係合部４３にあたる）が形成されている。一方、規制部材４１の中心側には、ロールオンキャッパーヘッド１の着脱を容易にするための拡径手段が設けられている。
【００４２】
この拡径手段は、図５ないし図１０に示されるように、平板カム４４とターミナルギヤ４５と、ピニオン４６で構成されている。ターミナルギヤ４５はピニオン４６の回転により回動する。ピニオン４６はスピンボディー２７（回転本体部）に回転可能に取りつけられ、ターミナルギヤ４５と噛み合わされている。平板カム４４は、規制部材４１の係合部４３の内側で回動可能にセットされていて、ピニオン４６の回転により回動するが、所定回転角だけ回動されるように構成されている。所定角だけ回動できる仕組みは、ターミナルギヤ４５と平板カム４４とを連結している連結ピン４７の移動範囲を後述するガイド孔５０により、規制することにより行われる。平板カム４４の周辺部には、カムフォロアー２５のピン軸２４を強制的に外側に移動させる突出カム部４８（内側の係合部４３にあたる）が各ピン軸２４に対応して複数設けられている。
【００４３】
したがって、隣り合う突出カム部４８との間には小径部４９が形成され、図７で示されるように、通常の運転時にカムフォロアー２５の想像線で図示したピン軸２４の移動に邪魔にならないように適宜に寸法設定される。つまり、正常運転時には突出カム部４８はピン軸２４の移動領域に干渉しない位置に退出し、かわって小径部４９がピン軸２４と対応する位置にくるように回動される。
【００４４】
図８ないし図９に示されるように、ピン軸２４を外方へ移動させることによりカムフォロアー２５をコ一ンカム５のカム面から離す役目をするが、ターミナルギヤ４５にピニオン４６を噛み合わせてターミナルギヤ４５を回動させる構成にしており、また、通常の運転時の振動等でターミナルギヤ４５が不用意に回動しないように止めネジ４６ａでピニオン４６が固定される。
【００４５】
平板カム４４の回動は、止めネジ４６ａを緩めて、ピニオン４６の回転によりターミナルギヤ４５を回動させることにより行われる。平板カム４４とターミナルギヤ４５とは連結ピン４７で連結されており、図８に示されるように、その連結ピン４７が規制部材４１の底壁部に形成されたガイド孔５０を貫通するように構成されている。
【００４６】
図８または図９に示されるように、ターミナルギヤ４５を回動させて、平板カム４４の突出部をカムフォロアー２５の各ピン軸２４の突出端２８と係合させ外方へ強制的に移動させることによってコーンカム５のカム面からカムフォロアー２５を離すことができる。そのため、ロールオンキャッパーヘッド１の交換作業を容易にさせる。また、脱着の際に、カムフォロアー２５の外周面がコーンカム５の下端に入り込んでコジリを生じさせることを防止することができる（カムフォロアー２５のカム面が曲面状に形成され、捩りスプリング２６による作用力が中心側に生じているので特にコジリを生じさせやすい）。なお、ロールオンキャッパーヘッド１は、ピルファープルーフキャップ３のサイズ替えや、メンテナンス時に交換される。
【００４７】
従来は、ロールオンキャッパーヘッド１の間に別置きのジャッキ等の特殊工具を挟み込んで各ロール１６、１８またはローラレバー２２を拡げてカムフォロアー２５をコーンカム５から離すような作業をしていたが、上記構成により特殊工具をわざわざ備える必要がなく、ピニオン４６の軸端を図示しないソケットレンチで回転させるだけで済むため、交換作業が簡便に行えるようになった。
【００４８】
なお上述した具体例では、拡径手段は、図５に示されるように、平板カム４４とターミナルギヤ４５と、ピニオン４６とでスピンボディ２７の上部に構成された例を示したが、本発明は上記具体例に限定されない。また、規制手段としては、上述した具体例のように回転本体部とカムアーム２３との間に形成すれば、拡径手段を併用させることで組立・加工が容易であるが、拡径手段を特に設けなければ、回転本体部とローラレバー２２との間に係合部を設けることが可能である。
【００４９】
【発明の効果】
以上説明したように請求項１の発明によれば、前記カムアームは、前記弾性部材の劣化等の原因で破損して弾性部材の弾性力が作用しなくなるという異常時の場合、キャップ周面側へ付勢させる押圧力が消失して成形ヘッドの遠心力によって、前記カムアームが支軸を中心に振り出され回転本体部の外側に移動する。その際、カムアームを取り付けている支軸が回動させられ、その支軸の反対端に取り付けられているローラレバーも回転本体部の外側に移動しようとする。しかしながら、カムアームもしくはローラレバーと回転本体部との間に設けられた係合部が、カムフォロアー及びカムアームの外方へ過剰な移動を阻止するため、前記カムアームが回転本体部から過剰に外側へ振り出されて移動するのを規制する。その結果、支軸の反対端に取り付けられているローラレバーも過剰に外側へ振り出されるのが防止されるので、成形ローラが隣接するキャッパーヘッドにぶつかりローラレバー等の部品を破損させたりすることが防げ安全性と安定した稼動が得られる。また、過剰に外側へ振り出されることがないので、成形ローラを組み込んだ成形ヘッドの間隔を狭く配置することができキャッピング装置のコンパクト化が図れる。
【００５０】
なお、請求項２に記載の発明によれば、前記係合部が、前記カムアームを貫通させたピン軸の突出部を前記回転本体部のカムアームに対向する面に設けられた凹部内へ挿入させることにより、ピン軸を係合部のストッパー部材として兼用させて構成部品を少なくするとともに、装置の簡素化が図れる。
【００５１】
また、請求項３に記載の発明によれば、前記規制手段に、前記カムフォロアーを弾性部材の弾性力に抗して外方へ移動させコーンカム面から離す拡径手段を備えているため、キャッパーヘッドをスピンドル下端部に取り付けたり取り外す等の交換作業の際に、拡径手段を作動させてカムフォロアーとコーンカム面とが接触しない状態にさせることができ、作業時にカムフォロアーが邪魔することなく容易に作業が行える。
【００５２】
なお、請求項４に記載の発明によれば、前記拡径手段は複数のカム突出部を周辺部に有する円板状のカムから構成され、そのカムを回動させ各ピン軸と突出部を係合又は離間させることによりコーンカムとカムフォロアーとの接触状態を、接触または非接触への切り替えを容易に行うことができる。
【図面の簡単な説明】
【図１】本発明を適用したキャッピング装置の一部およびロールオンキャッパーヘッド並びにその機構図ないし部分縦断面図である。
【図２】本発明を適用したキャッピング装置に用いられるロールオンキャッパーヘッドの部分縦断面図である。
【図３】本発明を適用したキャッピング装置に用いられるロールオンキャッパーヘッドの斜視図（中心部の一部を省略）である。
【図４】本発明を適用したキャッピング装置の部分平面図である。
【図５】本発明を適用したキャッピング装置に用いられるロールオンキャッパーヘッドの部分縦断面図（中心部の一部を省略）である。
【図６】本発明を適用したキャッピング装置に用いられるロールオンキャッパーヘッドの部分平面図である。
【図７】本発明を適用したキャッピング装置に用いられるロールオンキャッパーヘッドの通常運転時の部分横断面図である。
【図８】本発明を適用したキャッピング装置に用いられるロールオンキャッパーヘッドのピン軸を強制的に移動させた際の部分横断面図である。
【図９】本発明を適用したキャッピング装置に用いられるロールオンキャッパーヘッドのピン軸を強制的に移動させた際の部分縦断面図である。
【図１０】本発明を適用したキャッピング装置に用いられるロールオンキャッパーヘッドの拡径手段の部分横断面図である。
【符号の説明】
１…ロールオンキャッパーヘッド、　３…ピルファープルーフキャップ、　５…コーンカム、　１６…ネジ切りロール、　１８…ロックロール、　２１…カムシャフト、　　２２…ローラレバー、　２３…カムアーム、　２４…ピン軸、　２５…カムフォロアー、　２６…捩りスプリング、　２７…スピンボディ、　２８…突出端、　２９…凹部、　４１…規制部材、　４３…係合部、　４４…平板カム、　４５…ターミナルギア、　４６…ピニオン、　４８…突出カム部、　５０…ガイド孔。
【図１】
2004123147.tif 000003
【図２】
2004123147.tif 000004
【図３】
2004123147.tif 000005
【図４】
2004123147.tif 000006
【図５】
2004123147.tif 000007
【図６】
2004123147.tif 000008
【図７】
2004123147.tif 000009
【図８】
2004123147.tif 000010
【図９】
2004123147.tif 000011
【図１０】
2004123147.tif 000012